(57)【要約】【課題】形状や数量が予め特定されていない菓子等の食品類を収容する場合でも、包装箱内の空間を有効に利用することができ、包装箱内において食品類を仕切ることができ、包装箱内において食品類の型崩れを防止し、包装作業時の作業性を向上させ、また食品類収容時における包装箱内の美観を良好な状態とする、食品包装箱を提供する。【解決手段】側方に開閉する開口部と、食品類を前記開口部の幅方向に配列可能である底面２２とを備えた箱体２０と、前記開口部から挿入可能であり、かつ、底面２２に対して前記開口部の幅方向に位置調節可能な幅を有する底板部３１と、底板部３１に対して立設され、前記食品類を仕切る仕切部３３と、を備えた仕切体３０Ａと、を具備する食品包装箱１。【選択図】図１
2010100327.tif 000002
【特許請求の範囲】
【請求項１】
側方に開閉する開口部と、食品類を前記開口部の幅方向に配列可能である底面とを備えた箱体と、
前記開口部から挿入可能であり、かつ、前記底面に対して前記開口部の幅方向に位置調節可能な幅を有する底板部と、前記底板部に対して立設され、前記食品類を仕切る仕切部と、を備えた仕切体と、
を具備することを特徴とする食品包装箱。
【請求項２】
前記仕切体の前記底板部は、挿入方向に沿った端部において、仕切部から自由端部の幅を狭くした、幅狭部を備えることを特徴とする請求項１に記載の食品包装箱。
【請求項３】
前記仕切体の底板部は、前記仕切部の両側方に突出することを特徴とする請求項１または請求項２に記載の食品包装箱。
【請求項４】
前記底板部の挿入方向の端部から、前記仕切部よりも挿入方向に突出する挿入端部を備えることを特徴とする請求項１から請求項３のいずれか１項に記載の食品包装箱。
【請求項５】
前記食品類を載置する載置部材を備え、前記載置部材は前記仕切体で食品類を仕切る際に、前記仕切体の前記仕切部に当接することを特徴とする請求項１から請求項４のいずれか１項に記載の食品包装箱。
【請求項６】
前記載置部材は、前記食品類を載置した状態で側方に突出する突出部を備え、
前記仕切体は、前記突出部と係合する係合部を備えることを特徴とする請求項１から請求項５のいずれか１項に記載の食品包装箱。
【発明の詳細な説明】
【技術分野】
【０００１】
本発明は、菓子等の食品類を収容するための箱体と、箱体内に配置される仕切体とからなる食品包装箱の技術に関する。
【背景技術】
【０００２】
従来、包装箱に収容して運搬される菓子等の食品類は、包装箱内で食品類同士が接触することにより、容易に型崩れを起こしてしまう。このため、菓子等の食品類の型崩れ防止手段を備えた食品包装箱は、種々開発されている。例えば、型崩れ防止手段として、菓子等の収容位置を固定するための仕切板を、予め包装箱内に設ける技術は知られている（特許文献１参照）。また、帯状の本体を巻きまわして筒状に形成したスペーサ−を、包装箱内に収容された菓子と菓子との隙間に載置する技術は知られている（特許文献２参照）。
【特許文献１】実用新案登録第３０３０８５４号公報
【特許文献２】実用新案登録第３１２０９４９号公報
【発明の開示】
【発明が解決しようとする課題】
【０００３】
しかしながら、菓子類の収容位置を固定するための仕切板を予め包装箱内に設ける技術では、予め特定された形状や数量に合わせて、包装箱内に仕切板を設けるものである。このため、形状や数量が予め特定された菓子類を収容する場合には、効率的に菓子類を配列して、包装箱内の空間を有効に利用することができ、包装箱内において菓子類を仕切ることができ、また、菓子類の型崩れを防止することができる。一方、形状や数量が予め特定されない菓子類を収容する場合には、効率的に食品類を配列することができず、包装箱内の空間を有効に利用することができない。また、菓子類に合わせて仕切体の位置を調節して、包装箱内で仕切体を適切に配置することができないため、包装箱内において、菓子類を仕切ることができず、菓子類の型崩れを防止することができない。
また、帯状の本体を巻きまわして筒状に形成したスペーサ−を包装箱内に収容された菓子と菓子との隙間に載置する技術では、菓子等の形状や数量に合わせてスペーサ−を形成しなければならず、包装作業が煩雑なものとなる。さらにスペーサーを包装箱内に載置することにより、包装箱内の美観を損ねる。
【０００４】
本発明は、以上の如き状況を鑑みてなされたものであり、形状や数量が予め特定されていない菓子等の食品類を収容する場合でも、包装箱内の空間を有効に利用することができ、包装箱内において食品類を仕切ることができ、包装箱内において食品類の型崩れを防止し、包装作業時の作業性を向上させ、また、食品類収容時における包装箱内の美観を良好な状態とする、食品包装箱を提供することを目的とする。
【課題を解決するための手段】
【０００５】
本発明の解決しようとする課題は以上の如くであり、次にこの課題を解決するための手段を説明する。
【０００６】
即ち、請求項１においては、側方に開閉する開口部と、食品類を前記開口部の幅方向に配列可能である底面とを備えた箱体と、前記開口部から挿入可能であり、かつ、前記底面に対して前記開口部の幅方向に位置調節可能な幅を有する底板部と、前記底板部に対して立設され、前記食品類を仕切る仕切部と、を備えた仕切体と、を具備する食品包装箱としたものである。
【０００７】
請求項２においては、前記仕切体の前記底板部は、挿入方向に沿った端部において、仕切部から自由端部の幅を狭くした。
【０００８】
請求項３においては、前記仕切体の底板部は、前記仕切部の両側方に突出する。
【０００９】
請求項４においては、前記底板部の挿入方向の端部から、前記仕切部よりも挿入方向に突出する挿入端部を備える。
【００１０】
請求項５においては、前記食品類を載置する載置部材を備え、前記載置部材は前記仕切体で食品類を仕切る際に、前記仕切体の前記仕切部に当接する。
【００１１】
請求項６においては、前記載置部材は、前記食品類を載置した状態で側方に突出する突出部を備え、前記仕切体は、前記突出部と係合する係合部を備える。
【発明の効果】
【００１２】
本発明の効果として、以下に示すような効果を奏する。
【００１３】
請求項１においては、箱体は、側方に開閉する開口部と、食品類を開口部の幅方向に配列可能である底面とを備えている。また、仕切体は、箱体の開口部から挿入可能である。このため、箱体における開口部の幅方向に食品類を配列した後に、仕切体を挿入して配置し、箱体内に収容された食品類を仕切ることができる。したがって、箱体内に効率的に食品類を配列した後に、仕切体を配置することができ、箱体内の空間を有効に利用できるとともに、作業性を良好とすることができる。
また、箱に収容された食品類の数量や形状に合わせて仕切体を形成する必要がなく、包装作業時の作業性を向上させることができる。
そして、開口部の幅方向に配列されたすべての食品類を看取し得るように、箱体内に仕切体を配置することができる。このため、食品類が収容された食品包装箱内の美観を、良好な状態とすることができる。
また、仕切体の底板部は、箱体の底面に対して開口部の幅方向に位置調節可能な幅を有しているため、開口部の幅方向に配列された食品類に合わせて、箱体内での仕切体の位置を調節することができる。このため、数量や形状が予め特定されていない食品類を収容する場合であっても、箱体内に仕切体を適切に配置して、箱体内に収容された食品類を仕切ることができる。したがって、食品包装箱内において、予め数量や形状が特定されない食品類の型崩れを防止することができる。
【００１４】
請求項２においては、仕切体の底板部は、挿入方向に沿った端部において、仕切部から自由端部の幅を狭くした、幅狭部を備えた構成となっている。このため、箱体内において、食品類の形状に合わせて仕切体を斜めに配置することができ、予め形状や数量が特定されない食品類の型崩れを確実に防止することができる。
【００１５】
請求項３においては、仕切体の底板部は、仕切部の両側方に突出するように構成されている。このため、両側方に突出する底板部の上に、食品類を載置することができる。したがって、箱体内において、仕切体をより安定させることができ、食品類の型崩れをより確実に防止することができる。
【００１６】
請求項４においては、底板部の挿入方向の端部から、仕切部よりも、挿入方向に突出する、挿入端部を備えた構成となっている。このため、仕切体を箱体内に配置する際には、食品類と、箱体の底面との間に挿入端部を挿入することができる。したがって、仕切体の箱体内への配置を容易に行うことができ、仕切体を箱体に配置する際の作業性を向上させることができる。
【００１７】
請求項５においては、食品類を載置する載置部材を備え、載置部材は、仕切体で食品類を仕切る際に、仕切体の仕切部に当接するように構成されている。したがって、直接、仕切体の底板の上に載置された食品類と、仕切体の仕切部とが接触することを防止して、食品類の型崩れをより確実に防止することができる。
【００１８】
請求項６においては、載置部材は、食品類を載置した状態で、側方に突出する突出部を備え、また、仕切体は、突出部と係合する、係合部を備えた構成となっている。このため、載置部材の突出部を係合部と係合させることによって、箱体内における、載置部材の移動を抑制し、食品類の型崩れを確実に防止することができる。
【発明を実施するための最良の形態】
【００１９】
次に、本発明に係る食品包装箱の第一実施形態について説明する。
なお、以下においては、便宜上、図中の矢印の方向に従って説明を行うが、本発明においては、図中の矢印の方向に従って実施されることに特に限定するものではない。
【００２０】
図１に示す如く、本発明に係る食品包装箱１は、主に箱体２０と、仕切体３０Ａとで構成されている。
箱体２０は、食品類を収容するための箱（本実施例においては、後述する菓子類４０を収容するための箱）であり、左右方向に一列分の菓子類４０を収納可能とする。箱体２０は、左右方向を長手方向とする直方体の箱であり、前面２１、底面２２、上面２３、後面２４、左面２５、及び右面２６で構成されている。
また、箱体２０において側方に位置する前面２１は、側方に開閉する開口部として構成されている。具体的には、前面２１は、側方に開閉可能な面である開閉面２１ａによって構成されている。開閉面２１ａは、前面２１と底面２２との境界線を軸として、上下に回動可能なように、開閉面２１ａの下方端部と底面２２の前方端部とが連設されている。このようにして、開閉面２１ａは開閉可能となっており、前面２１は側方に開閉する開口部として構成されている。
底面２２及び上面２３の短手方向（前後方向）の長さ、即ち、箱体２０の奥行きの長さは、後述する菓子類４０の奥行きの長さと略同一に形成されている。また、前面２１の上下方向の長さは、後述する菓子類４０の上下方向の長さより、少なくとも長く形成されている。
以上のようにして、箱体２０においては、開口部である前面２１の幅方向、即ち左右方向に一列分の菓子類４０を、底面２２上に配列可能となっている。
【００２１】
仕切体３０Ａは、箱体２０内に複数若しくは単数配置される部材であり、主に、底板部３１と、仕切部３３とで構成されている。
仕切部３３は上方に突出し、また、底板部３１は、仕切部３３の下端部から側方に突設される。仕切体３０Ａが箱体２０内に配置される際には、菓子類４０と底面２２との間に底板部３１が位置するように、また菓子類４０・４０間、若しくは菓子類４０と箱体２０の内壁との間を仕切るために、当該間に仕切部３３が位置するように配置される。こうして、箱体２０内に配置された仕切体３０Ａは、箱体２０内に収容される菓子類４０・４０同士、若しくは菓子類４０と箱体２０の内壁とが干渉することを防止する。
【００２２】
以上のようにして、食品包装箱１は構成されている。
【００２３】
次に、図１、図５及び図６を用いて、食品包装箱１に収容される、菓子類４０について説明する。
菓子類４０とは、後述する載置部材4２の上に菓子４１が載置された状態で、食品包装箱1に収容される菓子類をいう。
【００２４】
図５及び図６に示す如く、載置部材４２は、載置部材４２上に菓子４１を載置した状態で、箱体２０内に収容される部材であり、例えば、平板状のボール紙素材からなる。載置部材４２は、主に、載置部４３と突出部４４とから構成されている。
載置部材４２の載置部４３は、菓子４１が載置される場所であり、また菓子４１の平面視と略同一形状となるように、菓子４１の形状に応じて、平面視の形状が形成されている。
載置部材４２の突出部４４は、菓子４１を載置部材４２の上に載置した状態で、側方に突出するように設けられている。具体的には、突出部４４は、載置部材４２の平面視の形状が、載置部４３の外周を拡大したような形状となるように、載置部４３の外周に沿って突出し、また載置部４３と一体的に設けられている。
また、載置部材４２には、載置部材４２の前方端部から前方に突出するようにして、摘み用のタブ４５が設けられている。これにより、菓子類４０を箱体２０に収容、若しくは食品包装箱１から取出す際に、作業者若しくは消費者の手が菓子４１に接触することを回避することができる。
【００２５】
但し、菓子類４０は、菓子４１が載置部材４２の上に載置された状態であることに特に限定するものではなく、載置部材４２の他、化粧紙、銀紙、の上に菓子４１が載置されている状態であってもよいものとする。
載置部材４２の素材は、ボール紙素材からなることに特に限定するものではなく、樹脂素材等からなる場合であっても良いものとする。載置部材４２の載置部４３の形状においても、菓子４１の形状に応じて形成することに特に限定するものではない。
また、突出部４４は、載置部４３の外周に沿って設けられていることに特に限定するものではなく、載置部４３の一部に設けた場合でも良いものとする。
【００２６】
図１から図９を用いて、仕切体３０Ａについて詳細に説明する。
【００２７】
図１及び図２で示す如く、仕切体３０Ａは、ボール紙素材からなり、主に、底板部３１と仕切部３３で構成されている。
【００２８】
底板部３１は、一対からなる底板３２・３２で構成される。底板３２は、前後方向を長手方向とし、また、開口状態である前面２１から、箱体２０内に挿入可能なように、板状の部材で構成されている。
底板３２・３２は、底板３２・３２における長手方向の一方の縁部である内側縁部３２ａ・３２ａが互いに向き合うように、左右に配列される。
底板３２には、底板３２の前方及び後方の端部から、仕切部３３よりも前方及び後方に突出するようにして、平板状の挿入端部３６・３６が一体的に設けられている。挿入端部３６・３６における前後の端部間の長さは、箱体２０における底面２２及び上面２３の前後方向の長さと略同一の長さとなるように形成されている。
なお、底板３２における長手方向の他方の縁部である外側縁部３２ｂ・３２ｂ間の幅は、底板部３１の左右方向の幅であるが、かかる底板部３１の左右方向の幅は、底面２２に対して前面２１の幅方向（左右方向）に、仕切体３０Ａが位置調節可能なような幅として構成されている。
底板３２には、底板３２の挿入方向に沿った端部において、仕切部３１から自由端部の幅を狭くした、幅狭部３２ｃが設けられている。具体的には、外側縁部３２ｂの前方及び後方の端部には、外側縁部３２ｂに対して斜めに切り落とされることによって、幅狭部３２ｃが形成されている。
【００２９】
なお、幅狭部３２ｃは、斜めに切り落として形成されることに、特に限定するものではない。即ち、前後方向に対して外側縁部３２ｂが斜めを向いて、仕切体３０Ａを箱体２０内に配置することができるように、幅狭部３２ｃが形成されていればよい。つまり、箱体２０における底面２２の前後方向の長さＷ１と、仕切体３０Ａの斜め載置時の前後方向の長さＷ２との関係が、Ｗ１≧Ｗ２の条件を満たすように、幅狭部３２ｃが形成されていればよいものとする（図９参照）。
【００３０】
仕切部３３は、一対からなる仕切側面３４・３４と、仕切上面３５とで構成されている。
仕切側面３４は、上辺と下辺が平行し、且つ上辺における前後端部が下辺に渡って斜めに切り落とされて形成される案内部３４ａを備える、板状の部材である。つまり仕切側面３４は、上底が下底に比べて短い、側面視略台形状に形成されている。
仕切側面３４・３４は、底板３２・３２に対して上方に突出するように立設されている。具体的には、仕切側面３４・３４における下底にあたる部分である下底部３４ｂ・３４ｂと、内側縁部３２ａ・３２ａとが一体的に連設されている。そして、内側縁部３２ａ・３２ａと下底部３４ｂ・３４ｂとが連設されることにより、谷折状の頂点である谷折頂点部３７・３７が形成される。即ち、仕切側面３４・３４の下端部から底板３２・３２が左右に突出するように構成されている。
前後方向を長手方向とする板状の部材である仕切上面３５の両側端部である上面側端部３５ａ・３５ａと、仕切側面３４・３４における上底にあたる部分である上底部３４ｃ・３４ｃとが一体的に連設されている。そして、上底部３４ｃ・３４ｃと上面側端部３５ａ・３５ａとが連設されることにより、山折状の頂点である山折頂点部３８・３８というが形成される。
【００３１】
なお、案内部３４ａは、上辺から下辺に渡って切断すること、及び、斜めに切り落とされることによって形成されることに特に限定するものではない。即ち、上辺に比べて下辺が短くなるように仕切側面３４を形成した際に、仕切側面３４の前後端部に、案内部３４ａは形成される。
山折頂点部３８は、２つのみ形成されることに特に限定するものではない。即ち、上底部３４ｂ・３４ｂ同士を連設することによって、１つの山折頂点部３８を形成した場合、若しくは、仕切上面３５を複数備え、３つ以上の山折頂点部３８を形成した場合であってもよいものとする。
【００３２】
図３で示す仕切体３０Ａは、組み立て前の平板状の仕切体３０Ａである。
組み立て前の平板状の仕切体３０Ａは、底板３２・仕切側面３４・仕切上面３５・仕切側面３４・底板３２の順に、それぞれ平面状に配列された、一枚のボール紙素材からなる平板状の部材である。
具体的には、底板３２・３２の内側縁部３２ａ・３２ａが互いに向き合うように、底板３２・３２は配列されている。仕切側面３４・３４の下底部３４ｂ・３４ｂと、底板３２・３２の内側縁部３２ａ・３２ａとが向き合うように、底板３２・３２間に仕切側面３４・３４は配列されている。仕切側面３４・３４間に、仕切上面３５は配列されている。そして、底板３２・３２の内側縁部３２ａ・３２ａと、仕切側面３４・３４の下底部３４ｂ・３４ｂとが一体的に連設され、且つ、仕切側面３４・３４の下底部３４ｂ・３４ｂと、仕切上面３５の上面側端部３５ａ・３５ａとが一体的に連設されている。
以上のようにして、組み立て前の平板状の仕切体３０Ａは形成されている。
【００３３】
底板３２・３２と、仕切側面３４・３４との境界線となる部分を、谷折状に折るための谷折線３７ａ・３７ａとする。仕切側面３４・３４と、仕切上面３５との境界線となる部分を、山折状に折るための山折線３８ａ・３８ａとする。
そして、前記谷折線３７ａ・３７ａを谷折状に折ることによって、谷折頂点部３７・３７が形成される。前記山折線３８ａ・３８ａを山折状に折ることによって、山折頂点部３８・３８が形成される。
以上のようにして、谷折頂点部３７・３７及び山折頂点部３８・３８が形成されることにより、仕切体３０Ａが形成されることとなる。
【００３４】
次に、図１、図４から図６を用いて、箱体２０内における仕切体３０Ａの配置について説明する。
図１で示す如く、菓子類４０が左右一列に収容された状態の箱体２０内に、開閉面２１ａを開口状態とした前面２１から、仕切体３０Ａは配置される。
この際に、仕切体３０Ａにおける底板３２の一部に、載置部材４２が載置されるように、仕切体３０Ａを箱体２０内に配置する（図４参照）。
具体的には、載置部材４２と底面２２との間に形成されている隙間に挿入端部３６を挿入する。そして、挿入端部３６が後面２４の内壁に達するまで、仕切体３０Ａを箱体２０内に挿入する。こうして、仕切体３０Ａは箱体２０内に配置される（図５参照）。
【００３５】
また、図５及び図６で示す如く、箱体２０内における仕切体３０Ａは、左面２５・仕切体３０Ａ・菓子類４０・仕切体３０Ａ・菓子類４０・・・仕切体３０Ａ・右面２６となるように配置される。こうして、菓子類４０・４０同士、及び箱体２０の内壁と菓子類４０とは、仕切体３０Ａによって、仕切られている。
そして、このような状態で箱体２０内を仕切体３０Ａによって仕切っている際、箱体２０内で最も左側に位置する仕切体３０Ａについては、左面２５における内壁の下端部と、左側の外側縁部３２ｂとが、当接した状態となる。また載置部材４２の左側端部と、右側の仕切側面３４の下端部とが、当接した状態となる。
最も左側及び最も右側に位置する仕切体３０Ａ以外の仕切体３０Ａについては、仕切側面３４・３４の下端部と、載置部材４２の側端部とが当接した状態となる。
なお、箱体２０内で最も右側に位置する仕切体３０Ａの説明は、最も左側に位置する仕切体３０Ａの説明と同様であるため、その説明を省略する。
【００３６】
以上のようにして、仕切体３０Ａは、仕切側面３４が底板３２から上方に突出するように立設されている。
このため、種類や形状が異なる菓子類４０が収容された箱体２０であっても、前記箱体２０内に仕切体３０Ａを配置する際には、菓子類４０・４０間、及び左面２５・右面２６の内壁と菓子類４０との間を仕切側面３４によって仕切ることができ、また、これらが干渉することを防止することができる。
そして、底板部３１の左右方向の幅は、箱体２０内において、底面２２に対して左右方向に、仕切体３０Ａが位置調節可能なような幅として構成されている。このため、箱体２０内に左右方向に一列に配列された菓子類４０に合わせて、箱体２０内での仕切体３０Ａの位置を調節することができる。
したがって、数量や形状が予め特定されていない菓子類４０を収容する場合であっても、箱体２０内に仕切体３０Ａを適切に配置して、箱体２０内に収容された菓子類４０を仕切ることができ、種類や形状が異なる菓子類４０の型崩れを防止することができる。
【００３７】
さらに、菓子類４０を収容した箱体２０内に仕切体３０Ａを配置した際には、載置部材４２の突出部４４と、仕切側面３４の下端部とが当接することとなる。
このため、仕切体３０Ａと菓子４１とが接触すること等による、菓子４１の型崩れを防止することができる。
【００３８】
仕切側面３４には、上底３４ｂの前後端部が下底３４ａに渡って斜めに切り落とされて形成される案内部３４ａが設けられている。
このため、菓子類４０が収容された箱体２０内に仕切体３０Ａを配置する際に、仕切体３０Ａの後端部を下方に傾けて、仕切体３０Ａを傾斜させた場合であっても、仕切側面３４の上方且つ後端部と、菓子４１とは接触し難い（図７参照）。
したがって、仕切側面３４の上端部と菓子４１とが接触することによる、菓子４１の型崩れを防止することができ、箱体２０内に仕切体３０Ａを配置する際の作業効率も向上させることができる。
【００３９】
仕切体３０Ａは、仕切側面３４・３４の上底部３４ｃ・３４ｃと、仕切上面３５の上面側端部３５ａ・３５ａとが連設して、山折頂点部３８を形成している。
そして、仕切上面３５の左右方向の幅を極力狭くすることで、仕切部３３の左右方向の幅が狭くなる。このように、仕切部３３の幅を狭くすることで、仕切部３３は目立たなくなり、菓子類４０を収容した食品類包装箱１内の美観を良好な状態とすることができる。
なお、山折頂点部３８・３８間に谷折状の頂点を形成し、若しくは、上面側端部３５ａ・３５ａを直接連設して山折頂点部３８を形成し、それぞれの山折頂点部３８の角度を小さくすることで、仕切部３３の幅を狭くすることもできる。
【００４０】
仕切体３０Ａは、底板３２・３２の内側縁部３２ａ・３２ａが互いに向き合うように、底板３２・３２は左右に配列され、また仕切部３３を構成する仕切側面３４の下方端部３３ａと底板３２の内側縁部３２ａとが連設されている。つまり、底板３２・３２は、仕切側面３４・３４の下端部から側方に突出するように構成されている。
このため、菓子類４０を収容した箱体２０内に、仕切体３０Ａを配置した際には、菓子類４０の形状や数量に関わり無く、底板３２・３２の上に菓子類４０を載置することができる。
このため、底板３２の上に載置された菓子類４０が底板３２を下方に押えつけることにより、箱体２０内において仕切体３０Ａは安定し、食品包装箱１に収容した菓子４１同士が接触することを防止することができる。また、菓子類４０を底板３２の上に載置することで、箱体２０内で仕切体３０Ａが移動、また仕切体３０Ａが倒れること等によって、仕切側面３４と菓子４１とが接触することを回避することができる。
したがって、予め形状や数量が特定されない菓子４１の型崩れを確実に防止することができる。
【００４１】
底板３２には、前方及び後方の端部から、仕切部３３よりも前方及び後方に突出するようにして、平板状の挿入端部３６・３６が一体的に設けられている。
このため、仕切体３０Ａを箱体２０内に配置する際には、載置部材４２と底面２２との間に、挿入端部３６を挿入することができる。
したがって、仕切体３０Ａを箱体２０内へ配置する際には、仕切体３０Ａと菓子４１とが接触することなく、容易に仕切体３０Ａを箱体２０内に配置することができ、仕切体３０Ａを箱体２０内に配置する際の作業性を向上させることができる。
【００４２】
また、底板３２及び挿入端部３６はボール紙素材からなる。このため、ボール紙素材の可撓性により、挿入端部３６を変形させることができる。
具体的には、後方の挿入端部３６を下方に傾けて仕切体３０Ａを傾斜させる。そして、係る状態のまま、底面２２若しくは開閉面２１ａを挿入端部３６によって下方に押圧していく（図８（ａ）参照）。そうすると、挿入端部３６は、その可撓性により、底面２２若しくは開閉面２１ａと平行になるように、次第に変形していくこととなる（図８（ｂ）参照）。
このため、載置部材４２と底面２２との間に挿入端部３６を挿入し難い場合や、仕切体３０Ａの後端部を下方に傾けて仕切体３０Ａを傾斜させた場合においても、挿入端部３６を変形させ、載置部材４２と底面２２との間に、挿入端部３６を挿入することができる。
したがって、仕切体３０Ａを箱体２０内へ配置する際には、仕切体３０Ａと菓子４１とが接触することなく、容易に仕切体３０Ａを箱体２０内に配置することができ、仕切体３０Ａを箱体２０内に配置する際の作業性を更に向上させることができる。
なお、仕切体３０Ａはボール紙素材からなることに限定するものではない。
【００４３】
底板部３１の前後方向の長さ、即ち挿入端部３６・３６における前後の端部間の長さは、箱体２０における底面２２及び上面２３の前後方向の長さと略同一の長さとなるように形成されている。
このため、仕切体３０Ａを箱体２０内に配置する際には、後面２４の内壁と挿入端部３６とが当接するまで、箱体２０内に仕切体３０Ａを配置することができる。
したがって、作業者の経験や技能に関わらず、箱体２０内における仕切体３０Ａの配置を適切な配置とすることができ、仕切体３０Ａを箱体２０内に配置する際の作業性を向上させることができる。
【００４４】
そして、仕切体３０Ａを箱体２０内に配置した状態では、前面２１及び後面２４と挿入端部３６とが当接した状態、若しくは容易に当接し得る状態にある。
このため、箱体２０内での、仕切体３０Ａの前後方向の移動を抑制することができ、仕切体３０Ａと菓子４１とが接触することによる、菓子４１の型崩れを確実に防止することが可能となる。
【００４５】
図９で示す如く、三角柱形状の菓子類４０Ａのように、菓子４１の形状が三角柱の形状であった場合には、これに用いられる載置部材４２についても、三角柱形状の菓子４１における平面視の形状を拡大したように形成された、三角形状の載置部材４２Ａが用いられる。
しかし、仕切体３０Ａには、底板３２の挿入方向に沿った端部において、仕切部３１から自由端部の幅を狭くした、幅狭部３２ｃが設けられている。具体的には、底板３２における外側縁部３２ｂの前方及び後方の端部には、外側縁部３２ｂに対して斜めに切り落とされることによって、幅狭部３２ｃが形成されている。そして、底面２２の前後方向の長さＷ１と、仕切体３０Ａの斜め載置時の前後方向の長さＷ２との関係が、Ｗ１≧Ｗ２の条件を満たすように、幅狭部３２ｃは形成されている。
このため、三角形状の載置部材４２Ａの形状に合わせて、前後方向に対して外側縁部３２ｂが斜めを向くように箱体２０内に仕切体３０Ａを配置して、箱体２０内での三角柱形状の菓子類４０Ａの収容位置を安定させることができる。
したがって、三角形状の菓子類４０Ａや四角形状の菓子類４０等の、形状の異なる菓子類４０を複数混在させて収容した箱体２０であっても、仕切体３０Ａを前記箱体２０に配置することができる。よって、予め形状や数量が特定されない菓子類４０であっても、その型崩れを防止することができる。
【００４６】
なお、幅狭部３２ｃの外側縁部３２ｂに対する角度を、外側縁部３２ｂに対して４５度に形成した場合には、例えば、一方の幅狭部３２ｃは後面２４と平行し、他方の幅狭部３２ｃは左面２５と平行するように、仕切体３０Ａを箱体２０内に配置することができる。そして、箱体２０内で係る状態の仕切体３０Ａは、後面２４及び左面２５に対して、仕切側面３４が４５度を向くこととなる。
また、三角形状の載置部材４２Ａの形状を、４５度と９０度を備える三角形状に構成した場合には、例えば、三角形状の載置部材４２Ａの一側端部が左面２５と平行し、他側端部が仕切側面３４と平行するように、箱体２０内に三角形状の載置部材４２Ａを配置することができる。
このため、幅狭部３２ｃ及び載置部材４２の構成を以上のような構成とした場合には、箱体２０内において、幅狭部３２ｃと箱体２０の内壁、及び仕切側面３４と三角形状の載置部材４２Ａとを当接させることができる。したがって、三角柱形状の菓子類４０Ａであっても、箱体２０内での収容位置を、確実に安定させることができる、ひいては、予め形状や数量が特定されない菓子類４０であっても、その型崩れを防止することができる。
【００４７】
仕切体３０Ａは、谷折状に折るための谷折線３７ａ・３７ａ、及び山折状に折るための山折線３８ａ・３８ａを具備する一枚のボール紙素材からなる組み立て前の平板状の仕切対３０Ａから形成される。即ち、谷折線３７ａを谷折状に、または山折線３８ａを山折状にそれぞれ折ることによって、谷折頂点部３７及び山折頂点部３８を形成し、仕切体３０Ａが形成されている。
このため、箱体２０内に配置された仕切体３０Ａが、左面２５・右面２６の内壁、及び載置部材４２を弾発し、箱体２０内での菓子類４０の収容位置を安定させることができる。
また、仕切体３０Ａを形成するための部品点数が少なくなるため、部品管理コスト、製造コスト、製品管理コストを軽減することができる。
さらに、谷折線３７ａ及び山折線３８ａを折るという少ない手数で、仕切対３０Ａを形成することができ、仕切体３０Ａを箱体２０内に配置する際の作業性を向上させることができる。
なお、本実施例においては、山折頂点部３８を二箇所設けているが、上記で説明した弾発力を増加させるためには、山折頂点部３８・３８間に形成される谷折状の頂点、及び山折頂点部３８の数を増加させることが望ましい。
【００４８】
箱体２０は、前面２１が側方に開閉する開口部である、開閉面２１ａで構成されている。箱体２０は、開閉面２１ａが開口状態にある前面２１から、左右方向に一列分の菓子類４０を、底面２２上に配列可能なように構成されている。このため、箱体２０内に効率的に菓子類４０を配列することができる。
また、仕切体３０Ａについても、開閉面２１ａが開口状態にある前面２１から、箱体２０内に配置することができる。
したがって、箱体２０内に効率的に菓子類４０を配列した後に、仕切体３０Ａを配置することができ、箱体２０内の空間を有効に利用できるとともに、作業性を良好とすることができる。
【００４９】
さらに、タブ４５が前面２１を向くように、菓子類４０を箱体２０内に収容していた場合には、タブ４５を前方に引き出すことによって、前面２１から菓子類４０を取出すことができる。
したがって、箱体２０から菓子類４０を容易に取出しやすく、また消費者の手指等が菓子類４０と接触することによる、菓子類４０の型崩れを防止することができる。
【００５０】
箱体２０は、左右方向に一列分の菓子類４０を収容可能に構成されている。
このため、開閉面２１ａが開口状態にある前面２１から、菓子類４０が収容された食品包装箱１の内部を看取した際には、食品包装箱１内に収容された全ての菓子類４０を看取することができる。
また、このような箱体２０内に仕切体３０Ａを配置する際には、食品包装箱１内に収容された全ての菓子類４０を看取し得るように、仕切体３０Ａを箱体２０内に配置することができる。つまり、開閉面２１ａが開口状態にある前面２１からは、菓子類４０・仕切部３３の前端部・菓子類４０・仕切部３３の前端部・・・と看取し得るように、即ち、仕切部３３が妨げ等とならないように、仕切体３０Ａを箱体２０内に配置することができる。
したがって、仕切体３０Ａが目立たないように、仕切体３０Ａを箱体２０内に配置して、菓子類４０が収容された食品類包装箱１内の美観を良好な状態とすることができる。
【００５１】
また、箱体２０は、左右方向に一列分の菓子類４０を収容可能とするため、通常の包装箱に比べて、前後方向が短く形成されている。このため、菓子類４０が収容された食品包装箱１を紙袋等に収容し、右面２６若しくは左面２５を進行方向に向けて歩行するような場合には、自己の足等に食品包装箱１が接触するような事態が起こりにくくなる。
したがって、食品包装箱１の安定した持ち運びが可能となり、食品包装箱１内に収容した菓子類４０の型崩れを防止することができる。
【００５２】
また、前記食品包装箱１においては、右面２６若しくは左面２５の方向に、前記食品包装箱１を揺動させた場合には、仕切体３０Ａによって菓子類４０が左右方向に移動することを抑制することができる。
したがって、前記食品包装箱１を紙袋等に収容し、右面２６若しくは左面２５を進行方向に向けて歩行するような場合においても、菓子類４０の型崩れを防止することができる。
【００５３】
なお、箱体２０は、左右方向に一列分の菓子類４０を収容可能とする直方体の箱であるが、箱体２０の構成を、左右方向に一列分の菓子類４０を収容可能であることであること、直方体であること、また収容する対象が菓子であることに特に限定するものではない。
箱体２０は、前面２１と底面２２との境界線を軸として開閉面２１ａが上下に回動することによって、開閉面２１ａが開閉する構成となっている。しかしながら、上面２３や左面２５等との境界線を軸として回動することによって、開閉面２１ａが開閉する構成とした場合等でもよく、側方に開口するあらゆる構成を含むものとする。
箱体２０は、前面２１のみを開閉可能な面として構成することに特に限定するものではない。即ち、前面２１に加え、上面２３や左面２５等も開閉可能な面として構成する場合でもよいものとする。
また、箱体２０の上面２１に、消費者が把持するための取っ手等を設けたような構成であってもよいものとする。
【００５４】
次に、本発明に係る食品包装箱の第二実施形態に用いられる仕切体３０Ｂについて、図１０から図１２を用いて説明する。
なお、仕切体３０Ｂは、仕切体３０Ａと略同一形状であるため、同一の部分には、同一の符号を付して、その説明を省略する。
【００５５】
図１０で示す如く、仕切体３０Ｂにおける一方の仕切側面３４には、谷折頂点部３７の前後方向の略中心部分から前方の略中途部に向かってスリット３９が設けられている。即ち、スリット３９は、スリット３９の前後方向の中心点と、谷折頂点部３７の前後方向の中心点とが、一致しないように設けられている。そして、スリット３９は、載置部材４２の厚さと略同一の高さとなるように、谷折頂点部３７から上方に向かって、コの字状に切り込まれている。また、スリット３９は、スリット３９の下端部と谷折頂点部３７とが連設された状態となるように構成されている。
他方の仕切側面３４においても、仕切体３０Ｂの中心に対して点対称の位置に、スリット３９が設けられている。
【００５６】
また、図１１で示す如く、仕切体３０Ｂは、谷折状に折るための谷折線３７ａ・３７ａ、及び山折状に折るための山折線３８ａ・３８ａを具備する一枚の板状のボール紙からなる組み立て前の平板状の仕切体３０Ｂから形成される。即ち、谷折線３７ａ・３７ａを谷折状に折ることによって谷折頂点部３７・３７を形成すると同時に、スリット３９・３９が形成されるような切込みであるスリット用切込み３９ａ・３９ａが仕切側面３４・３４に設けられている。
【００５７】
以上のようにして、仕切体３０Ｂは、載置部材４２の厚さと略同一の高さとなるようなスリット３９を備える。
このため、載置部材４２の突出部４４の一部を、スリット３９に挿入して、突出部４４とスリット３９とを係合させることができる。
したがって、食品包装箱１における菓子類４０の移動を抑制し、箱体２０内における菓子類４０の収容位置を安定させることができる。また、箱体２０の前後方向の長さに比べ、菓子類４０の前後方向の長さが短いような場合であっても、菓子類４０の前後方向の移動を抑制することができる。
例えば、図１２で示す如く、円柱形状の菓子類４０Ｂのように、菓子４１の形状が円柱形状であった場合には、これに用いられる載置部材４２についても、円柱の形状の菓子４１における平面視の形状を拡大したような、円形状の載置部材４２Ｂが用いられる。
このような円柱形状菓子４０Ｂにおいても、円柱形状載置部材４２Ｂの一部を、スリット３９に挿入することにより、載置部材４２Ｂとスリット３９とを係合させることができる。
したがって、箱内２０内における円柱形状菓子４０Ｂの収容位置を、確実に安定させることができる。
よって、箱体２０の前後方向の長さに比べ、菓子４１の前後方向の長さが短いような菓子類４０や、円柱形状の菓子類４０Ｂ等の、形状の異なる菓子類４０を複数混在して箱体２０内に収容した場合であっても、仕切体３０Ｂを箱体２０に配置することによって、菓子類４０の型崩れを確実に防止することができる。
【００５８】
一方のスリット３９は、仕切側面３４において、谷折頂点部３７の前後方向の略中心部分から前方の略中途部に向かって設けられている。また、他方のスリット３９は、仕切体３０Ｂの中心に対して点対称の位置に設けられている。
このため、スリット３９に挿入される載置部材４２は、箱体２０における前面２１若しくは後面２４のうち、いずれかの面に寄せた状態で挿入されることとなる。
したがって、箱体２０の内側面の何れかに保冷材等の障害物を設けた場合であっても、菓子類４０の収容位置を安定させつつ、前記保冷材等と菓子類４０とが接触することを確実に回避させることができる。
【００５９】
組み立て前の仕切体３０Ｂには、予めスリット用切込み３９ａが設けられている。
このため、谷折線３７ａを折ることで谷折頂点部３７が形成され、これと同時に、スリット３９が形成されることとなる。
したがって、谷折線３７ａ及び山折線３８ａを折るという少ない手数で仕切体３０Ｂを形成することができる。
また、スリット３９の下端部は、谷折頂点部３７に連設された構成となっている。
このため、菓子店の店頭等で、平板状仕切体３０Ｂから仕切体３０Ｂを形成する際においても、スリット３９の形成時における切断片等のゴミは発生しない。
【００６０】
仕切体３０Ａ・３０Ｂは、前後方向が対称となるように構成されている。このため、仕切体３０Ａ・３０Ｂの前後方向を確認する必要なく、箱体２０内に仕切体３０Ａ・３０Ｂを配置することができる。
したがって、箱体２０内に仕切体３０Ａ・３０Ｂを配置する際の作業性を向上させることができる。
【図面の簡単な説明】
【００６１】
【図１】本発明の実施例に係る食品包装箱の全体的な構成を示した斜視図。
【図２】第一実施形態に係る仕切体を示した斜視図。
【図３】第一実施形態に係る平板状仕切体を示した平面図。
【図４】（ａ）は、仕切体における底板を、菓子類と底面との間に挿入しようとした状態を示した平面模式図。（ｂ）は、仕切体における底板が、菓子類と底面との間に配置された状態を示した平面模式図。
【図５】仕切体を箱体内に配置した状態を示した平面模式図。
【図６】仕切体を箱体内に配置した状態を示した正面模式図。
【図７】仕切体を箱体内に配置する状態を示した側面模式図。
【図８】（ａ）は仕切体を箱体内に配置する状態を示した側面模式図。（ｂ）は仕切体の挿入端部を変形させた状態を示した側面模式図。
【図９】仕切体を箱体内に配置した状態を示した平面模式図。
【図１０】第二実施形態に係る仕切体を示した斜視図。
【図１１】第二実施形態に係る平板状仕切体を示した平面図。
【図１２】第二実施形態に係る平板状仕切体が備えるスリットに、載置部材の一部を挿入する状態を示した平面模式図。
【符号の説明】
【００６２】
１  食品包装箱
２０  箱体
３０Ａ  仕切体
３０Ｂ  仕切体
４０  菓子類
【図１】
2010100327.tif 000003
【図２】
2010100327.tif 000004
【図３】
2010100327.tif 000005
【図４】
2010100327.tif 000006
【図５】
2010100327.tif 000007
【図６】
2010100327.tif 000008
【図７】
2010100327.tif 000009
【図８】
2010100327.tif 000010
【図９】
2010100327.tif 000011
【図１０】
2010100327.tif 000012
【図１１】
2010100327.tif 000013
【図１２】
2010100327.tif 000014